(57)【要約】【課題】捕捉された穀稈が捕捉部材に絡み付き難い普通型コンバインを提供することを目的とする。【解決手段】天板７０に吸塵口が形成されたフィーダケース７を有し、このフィーダケース７内で刈取穀稈を搬送するフィーダ６と、フィーダケース７内の塵埃を吸塵口から吸引して外部に排出する吸塵ファン１２と、吸塵口に取り付けられ、吸塵ファン１２に向かって流れる穀稈を捕捉する捕捉部材２０と、を備え、捕捉部材２０は、吸塵口に亘って互いに交差しないように配置された三本の丸棒２１を備える。【選択図】図４
2014124136.tif 000002
【特許請求の範囲】
【請求項１】
天板に吸塵口が形成されたフィーダケースを有し、このフィーダケース内で刈取穀稈を搬送するフィーダと、
前記フィーダケース内の塵埃を前記吸塵口から吸引して外部に排出する吸塵ファンと、
前記吸塵口に取り付けられ、前記吸塵ファンに向かって流れる穀稈を捕捉する捕捉部材と、を備え、
前記捕捉部材は、前記吸塵口に亘って互いに交差しないように配置された複数の棒状部材を備える普通型コンバイン。
【請求項２】
前記複数の棒状部材は、前記フィーダの搬送方向に対して略平行である請求項１に記載の普通型コンバイン。
【請求項３】
前記棒状部材は、丸棒である請求項１又は請求項２に記載の普通型コンバイン。
【請求項４】
前記吸塵ファンは、左右向きの軸心周りに回転する請求項１から請求項３までのいずれか一項に記載の普通型コンバイン。
【請求項５】
前記捕捉部材は、前記フィーダケースに対して着脱可能に構成されている請求項１から請求項４までのいずれか一項に記載の普通型コンバイン。
【請求項６】
前記吸塵ファンを覆うファンケースを備え、
前記フィーダケースの天板と前記ファンケースの下端とで、前記捕捉部材が挟み込み支持されている請求項１から請求項５までのいずれか一項に記載の普通型コンバイン。
【請求項７】
前記天板から上方に突出する突状部を備え、
前記捕捉部材と前記ファンケースの下端とが、前記突状部に締結具によって共締め連結されている請求項６に記載の普通型コンバイン。
【請求項８】
前記ファンケースの下端を上方から押さえる押さえ部材を備え、
前記押さえ部材は、前記ファンケース及び前記捕捉部材と共に、前記突状部に前記締結具によって共締め連結されている請求項７に記載の普通型コンバイン。
【請求項９】
前記締結具は、蝶ナット又はノブナットである請求項７又は請求項８に記載の普通型コンバイン。
【請求項１０】
前記吸塵ファンを駆動するモータを備え、
前記モータ用のブレーカーが、前記吸塵ファンに隣接して備えられている請求項１から請求項９までのいずれか一項に記載の普通型コンバイン。
【発明の詳細な説明】
【技術分野】
【０００１】
本発明は、普通型コンバインに関する。より詳細には、天板に吸塵口が形成されたフィーダケースを有し、このフィーダケース内で刈取穀稈を搬送するフィーダと、フィーダケース内の塵埃を吸塵口から吸引して外部に排出する吸塵ファンと、吸塵口に取り付けられ、吸塵ファンに向かって流れる穀稈を捕捉する捕捉部材と、を備える普通型コンバインに関する。
【背景技術】
【０００２】
上記のような普通型コンバインとして、例えば、特許文献１に記載の普通型コンバインが既に知られている。この特許文献１に記載の普通型コンバインは、吸塵ファン（文献では、吸引排塵フアン）と、捕捉部材（文献では、網体）と、を備えている。吸塵ファンは、フィーダケース（文献では、フイーダハウス）内の塵埃を吸塵口から吸引して外部に排出する。捕捉部材は、吸塵口に取り付けら、吸塵ファンに向かって流れる穀稈を捕捉する。これにより、吸塵ファンへの穀稈の吸い込みの防止を図ることができる。
【先行技術文献】
【特許文献】
【０００３】
【特許文献１】特開２００３−１７４８１５号公報
【発明の概要】
【発明が解決しようとする課題】
【０００４】
上記従来の普通型コンバインでは、捕捉部材が網状部材で構成されている、つまり、捕捉部材は、吸塵口に亘って互いに交差するように配置された複数の棒状部材を備えているため、捕捉された穀稈が捕捉部材に絡み付き易い。そして、捕捉部材に大量の穀稈が絡み付くと、捕捉部材に絡み付いた穀稈（ワラ溜り）が抵抗になって、吸塵ファンが塵埃を吸引し難くなることがあった。
【０００５】
本発明は以上の如き状況に鑑みてなされたものであり、捕捉された穀稈が捕捉部材に絡み付き難い普通型コンバインを提供することを目的とする。
【課題を解決するための手段】
【０００６】
本発明の特徴は、天板に吸塵口が形成されたフィーダケースを有し、このフィーダケース内で刈取穀稈を搬送するフィーダと、前記フィーダケース内の塵埃を前記吸塵口から吸引して外部に排出する吸塵ファンと、前記吸塵口に取り付けられ、前記吸塵ファンに向かって流れる穀稈を捕捉する捕捉部材と、を備え、前記捕捉部材は、前記吸塵口に亘って互いに交差しないように配置された複数の棒状部材を備えることにある。
【０００７】
本特徴構成によれば、捕捉部材において、複数の棒状部材が吸塵口に亘って互いに交差しないように配置されている。つまり、捕捉部材において、複数の棒状部材のうちの互いに隣り合う棒状部材同士の隙間が、吸塵口の全長に亘って形成されている。したがって、吸塵ファンに向かって流れる穀稈を、複数の棒状部材で捕捉しつつも、複数の棒状部材のうちの互いに隣り合う棒状部材同士の間で、穀稈の絡み付きが発生し難い。
【０００８】
さらに、本発明において、前記複数の棒状部材は、前記フィーダの搬送方向に対して略平行であると好適である。
【０００９】
通常、フィーダケース内の穀稈のうちの大部分は、フィーダの搬送方向に対して交差する姿勢で搬送される。本特徴構成によれば、複数の棒状部材がフィーダの搬送方向に対して略平行であるため、つまり、穀稈の長手方向と複数の棒状部材の方向とが交差するため、複数の棒状部材が穀稈に対して作用し易く、吸塵ファンに向かって流れる穀稈を、しっかりと捕捉することができる。
【００１０】
さらに、本発明において、前記棒状部材は、丸棒であると好適である。
【００１１】
本特徴構成によれば、棒状部材に角部が無いため、棒状部材に穀稈が絡み付き難くなると共に、棒状部材で穀稈が切れ難くなるので、吸塵ファンに吸い込まれる切れワラの発生を低減することができる。
【００１２】
さらに、本発明において、前記吸塵ファンは、左右向きの軸心周りに回転するものであると好適である。
【００１３】
本特徴構成によれば、吸塵ファンの軸心方向において、吸塵ファンと吸塵口とが対向しないため、穀稈が吸塵口から吸塵ファンに向かって流れても、穀稈が吸塵ファンに直接的に接触し難い。
【００１４】
さらに、本発明において、前記捕捉部材は、前記フィーダケースに対して着脱可能に構成されていると好適である。
【００１５】
本特徴構成によれば、捕捉部材の取り外しや交換が可能であるため、メンテナンス性を向上させることができる。
【００１６】
さらに、本発明において、前記吸塵ファンを覆うファンケースを備え、前記フィーダケースの天板と前記ファンケースの下端とで、前記捕捉部材が挟み込み支持されていると好適である。
【００１７】
本特徴構成によれば、捕捉部材を安定的に支持することができる。
【００１８】
さらに、本発明において、前記天板から上方に突出する突状部を備え、前記捕捉部材と前記ファンケースの下端とが、前記突状部に締結具によって共締め連結されていると好適である。
【００１９】
本特徴構成によれば、捕捉部材とファンケースとをまとめて、突状部に簡単に連結することができる。また、突状部により、捕捉部材及びファンケースの位置決めが容易である。
【００２０】
さらに、本発明において、前記ファンケースの下端を上方から押さえる押さえ部材を備え、前記押さえ部材は、前記ファンケース及び前記捕捉部材と共に、前記突状部に前記締結具によって共締め連結されていると好適である。
【００２１】
本特徴構成によれば、押さえ部材とファンケースと捕捉部材とをまとめて、突状部に簡単に連結することができる。また、突状部により、押さえ部材、ファンケース及び捕捉部材の位置決めが容易である。
【００２２】
さらに、本発明において、前記締結具は、蝶ナット又はノブナットであると好適である。
【００２３】
本特徴構成によれば、工具を使わずに手で締結具を締緩することができるため、作業性を向上させることができる。
【００２４】
さらに、本発明において、前記吸塵ファンを駆動するモータを備え、前記モータ用のブレーカーが、前記吸塵ファンに隣接して備えられていると好適である。
【００２５】
本特徴構成によれば、ブレーカーがモータの近傍に位置するため、ブレーカーとモータとの間の配線の取回しが容易である。
【図面の簡単な説明】
【００２６】
【図１】普通型コンバインを示す側面図である。
【図２】普通型コンバインを示す平面図である。
【図３】吸塵ファン及び捕捉部材を示す側面断面図である。
【図４】吸塵ファン及び捕捉部材を示す正面断面図である。
【図５】吸塵ファン及び捕捉部材を示す平面断面図である。
【図６】吸塵ファン及び捕捉部材を示す分解斜視図である。
【図７】別実施形態に係る吸塵ファン及び捕捉部材を示す分解斜視図である。
【発明を実施するための形態】
【００２７】
以下、本発明を実施するための形態について図面に基づき説明する。
【００２８】
先ず、本発明に係る普通型コンバインの全体構成について、図１から図３により説明する。
【００２９】
図１及び図２に示すように、普通型コンバインには、クローラ式の走行機体１が備えられている。走行機体１の前部には、運転部２が設けられている。運転部２の後方には、脱穀装置３及び穀粒タンク４が、左右方向に並設されている。また、走行機体１の前方には、刈取部５が設けられている。刈取部５の後部には、刈取穀稈を脱穀装置３に搬送するフィーダ６が設けられている。
【００３０】
図３に示すように、フィーダ６は、フィーダケース７内で刈取穀稈を搬送する。フィーダケース７の前端部には、前側回転体８が回転自在に支持されている。フィーダケース７の後端部には、後側回転体９が回転自在に支持されている。前側回転体８と後側回転体９とには、左右一対の搬送チェーン１０が巻き付けられている。左右一対の搬送チェーン１０には、搬送板１１が設けられている。左右一対の搬送チェーン１０は、図示しない正転機構により矢印Ａの方向に正回転し、かつ、図示しない逆転機構により矢印Ａとは反対方向に逆回転する。
【００３１】
また、フィーダケース７の天板７０には、吸塵口７０ａが形成されている。吸塵口７０ａの上方には、フィーダケース７内の塵埃を吸塵口７０ａから吸引して外部に排出する吸塵ファン１２が設けられている。吸塵口７０ａには、詳しくは後述する捕捉部材２０が取り付けられている。
【００３２】
次に、吸塵ファン１２について、図４から図６により説明する。
【００３３】
図４から図６に示すように、吸塵ファン１２は、左右向きの軸心Ｘ周りに回転する。吸塵ファン１２は、モータ１３で駆動される。吸塵ファン１２は、ファンケース１５で覆われている。また、吸塵ファン１２は、フィーダケース７の天板７０の左横端近傍に配置されている。吸塵ファン１２における回転軌跡の下端部は、吸塵口７０ａの周縁（又はその近傍）に位置している。吸塵ファン１２における塵埃流動方向下流側の端縁は、フィーダケース７の横板部７１の外面と略面一である。
【００３４】
ファンケース１５は、吸引側ケース１６と、排出側ケース１７と、を備えている。吸引側ケース１６は、吸塵ファン１２に対して塵埃流動方向上流側に配置されている。排出側ケース１７は、吸塵ファン１２に対して塵埃流動方向下流側に配置されている。吸引側ケース１６と排出側ケース１７とは、ボルト１８で着脱可能（連結解除可能）に連結されている。吸引側ケース１６と排出側ケース１７との連結部分は、フィーダケース７の横板部７１の外面と略同一面上に位置している。
【００３５】
吸引側ケース１６の下端は、天板７０から上方に突出するスタッドボルト２４（本発明に係る「突状部」に相当）に、ノブナット２５（本発明に係る「締結具」に相当）によって連結されている。天板７０からは、複数（例えば、四本）のスタッドボルト２４が上方に突出している。吸引側ケース１６の下端には、スタッドボルト２４が挿通されるボルト孔１６ａが、四つ形成されている。吸引側ケース１６の下端は、押さえフレーム２６（本発明に係る「押さえ部材」に相当）によって上方から押さえられている。また、吸引側ケース１６における吸塵ファン１２と対向する部分には、吸塵ファン１２側に凹入する凹入部１６ｂが形成されている。
【００３６】
凹入部１６ｂは、吸引側ケース１６のうち吸塵ファン１２と軸心Ｘの方向に対抗する部分に形成されている。凹入部１６ｂの凹入方向は、機体横外方向（左横外方向）である。
【００３７】
モータ１３は、吸塵ファン１２に対して塵埃流動方向上流側に配置されている。つまり、モータ１３は、吸塵ファン１２に対して塵埃流動方向上流側から動力を入力している。また、モータ１３は、吸塵口７０ａと吸塵ファン１２との間に配置されている。モータ１３は、塵埃が流動する塵埃流動経路と区画されている。具体的には、モータ１３は、凹入部１６ｂと吸塵ファン１２とが対向する区間においてカバー１９で覆われている。また、モータ１３は、凹入部１６ｂ（凹入部１６ｂの底部）を貫通した状態で支持されている。
【００３８】
押さえフレーム２６には、スタッドボルト２４が挿通されるボルト孔２６ａが、四つ形成されている。押さえフレーム２６は、スタッドボルト２４にノブナット２５によって吸引側ケース１６の下端と共締め連結されている。つまり、押さえフレーム２６は、吸引側ケース１６及び捕捉部材２０と共に、スタッドボルト２４にノブナット２５によって共締め連結されている。また、押さえフレーム２６には、取付ステー２７を介して、モータ１３用のブレーカー１４が取り付けられている。つまり、モータ１３用のブレーカー１４が、吸塵ファン１２に隣接して備えられている。
【００３９】
次に、捕捉部材２０について、図４から図６により説明する。
【００４０】
図４から図６に示すように、捕捉部材２０は、吸塵ファン１２に向かって流れる穀稈を捕捉する。捕捉部材２０は、フィーダケース７の天板７０と吸引側ケース１６の下端とで、挟み込み支持されている。捕捉部材２０は、フィーダケース７に対して着脱可能に構成されている。具体的には、捕捉部材２０は、スタッドボルト２４にノブナット２５によって吸引側ケース１６の下端と共締め連結されている。また、捕捉部材２０は、複数（本実施形態では、三本）の丸棒２１（本発明に係る「棒状部材」に相当）と、前後一対の支持フレーム２２・２３と、を備えている。
【００４１】
丸棒２１は、吸塵口７０ａに亘って互いに交差しないように配置されている。具体的には、丸棒２１は、フィーダ６の搬送方向（前後方向）に対して略平行に配置されている。また、三本の丸棒２１は、互いに所定の間隔（例えば、等間隔）をあけて配置されている。三本の丸棒２１のうちの互いに隣り合う丸棒２１同士の隙間は、吸塵口７０ａの全長（前後方向）に亘って形成されている。丸棒２１は、吸塵口７０ａの左右方向の幅Ｂのうち左側（横外側）のみに配置されている。丸棒２１は、フィーダケース７の天板７０の上面よりも上方に突出しないように配置されている。つまり、丸棒２１は、前後一対の支持フレーム２２・２３の下面に配置されている。
【００４２】
前後一対の支持フレーム２２・２３は、フィーダケース７の天板７０の上面に配置されている。前後一対の支持フレーム２２・２３のうち前側の支持フレーム２２は、吸塵口７０ａにおける前側縁に沿って配置されている。前側の支持フレーム２２における左端部には、スタッドボルト２４が挿通されるボルト孔２２ｂが形成されている。前側の支持フレーム２２には、前固定部２２ａが形成されている。前固定部２２ａは、吸塵口７０ａにおける前側縁から吸塵口７０ａの中心側に向かって突出している。前固定部２２ａの下面には、丸棒２１の前端部が固定（例えば、溶接等）されている。
【００４３】
前後一対の支持フレーム２２・２３のうち後側の支持フレーム２３は、吸塵口７０ａにおける後側縁に沿って配置されている。後側の支持フレーム２３における左端部には、スタッドボルト２４が挿通されるボルト孔２３ｂが形成されている。後側の支持フレーム２３には、丸棒２１の後端部が固定される後固定部２３ａが形成されている。後固定部２３ａは、吸塵口７０ａにおける後側縁から吸塵口７０ａの中心側に向かって突出している。丸棒２１の後端部は、後側の支持フレーム２３における後固定部２３ａの下面に固定（例えば、溶接等）されている。
【００４４】
以上のような構成により、捕捉部材２０において、三本の丸棒２１が吸塵口７０ａに亘って互いに交差しないように配置されている。つまり、捕捉部材２０において、三本の丸棒２１のうちの互いに隣り合う丸棒２１同士の隙間が、吸塵口７０ａの全長（前後方向）に亘って形成されている。したがって、吸塵ファン１２に向かって流れる穀稈を、三本の丸棒２１で捕捉しつつも、三本の丸棒２１のうちの互いに隣り合う丸棒２１同士の間で、穀稈の絡み付きが発生し難い。
【００４５】
以下、本発明に係る別実施形態について説明する。
【００４６】
（１）上記実施形態において、捕捉部材２０には、前後一対の支持フレーム２２・２３が備えられているが、例えば、図７に示すように、前側の支持フレーム２２の一端部と後側の支持フレーム２３の一端部とが支持フレームで連結されていてもよい。なお、この場合、前側の支持フレーム２２の一端部と支持フレームとの連結部分と、後側の支持フレーム２３の一端部と支持フレームとの連結部分とにも、それぞれボルト孔が形成されている。また、図示は省略するが、前側の支持フレーム２２の一端部と後側の支持フレーム２３の一端部とが支持フレームで連結され、かつ、前側の支持フレーム２２の他端部と後側の支持フレーム２３の他端部とが支持フレームで連結されていてもよい。
【００４７】
（２）上記実施形態において、丸棒２１は、フィーダ６の搬送方向に対して略平行に配置されているが、丸棒２１は、フィーダ６の搬送方向に対して略直交に配置されていてもよい。また、丸棒２１は、フィーダ６の搬送方向に対して斜めに配置されていてもよい。
【００４８】
（３）上記実施形態において、本発明に係る「棒状部材」は、丸棒２１であるが、本発明に係る「棒状部材」は、角棒（例えば、断面が四角形状の角棒）でもよい。
【００４９】
（４）上記実施形態において、丸棒２１は、三本であるが、丸棒２１は、二本でも四本以上でもよい。
【００５０】
（５）上記実施形態において、スタッドボルト２４は、四本であるが、スタッドボルト２４は、五本以上でもよい。
【００５１】
（６）上記実施形態において、本発明に係る「締結具」は、ノブナット２５であるが、本発明に係る「締結具」は、蝶ナットでもよい。
【００５２】
（７）上記実施形態において、吸引側ケース１６と排出側ケース１７とは、ボルト１８で着脱可能に連結されているが、ボルト１８は、ノブボルトであってもよい。
【産業上の利用可能性】
【００５３】
本発明は、天板に吸塵口が形成されたフィーダケースを有し、このフィーダケース内で刈取穀稈を搬送するフィーダと、フィーダケース内の塵埃を吸塵口から吸引して外部に排出する吸塵ファンと、吸塵口に取り付けられ、吸塵ファンに向かって流れる穀稈を捕捉する捕捉部材と、を備える普通型コンバインに利用可能である。
【符号の説明】
【００５４】
６  フィーダ
７  フィーダケース
１２  吸塵ファン
１３  モータ
１４ブレーカー
１５  ファンケース
２０  捕捉部材
２１  丸棒（棒状部材）
２４  スタッドボルト（突状部）
２５  ノブナット（締結具）
２６  押さえフレーム（押さえ部材）
７０  天板
７０ａ  吸塵口
Ｘ  軸心
【図１】
2014124136.tif 000003
【図２】
2014124136.tif 000004
【図３】
2014124136.tif 000005
【図４】
2014124136.tif 000006
【図５】
2014124136.tif 000007
【図６】
2014124136.tif 000008
【図７】
2014124136.tif 000009